(57)【要約】【課題】反発遅延ばね、及びそれを靴底に装着して歩行エネルギーを軽減する歩行支援用具を提供する。【解決手段】梃子部付きばね挟みにおいて、ばね挟み先に設ける振り子式の突支が、梃子部への荷重でばね挟みが開くと共に起きて対片先にあてがわれ、梃子部からばね挟み先への荷重移動の過程で畳まれると共にばね挟みが閉じて梃子部に反発力を解放する、反発遅延ばね、及び、靴底当て板が、前部に緩衝体を、後部に当該反発遅延ばねを取り付けて、靴底に装着される靴底ばね装置とする。【選択図】  図１
2004248784.tif 000002
【特許請求の範囲】
【請求項１】
梃子部付きばね挟みにおいて、ばね挟み先に設ける振り子式の突支が、梃子部への荷重でばね挟みが開くと共に起きて対片先にあてがわれ、梃子部からばね挟み先へ荷重が移動する過程で畳まれると共にばね挟みが閉じることを特徴とする、反発遅延ばね。
【請求項２】
靴底当て板が、前部に緩衝体を、後部に請求項１の反発遅延ばねを取り付けて、靴底に装着されることを特徴とする、靴底ばね装置。
【発明の詳細な説明】
【０００１】
【発明の属する技術分野】
本発明は、反発遅延ばね及びそれを靴底に装着する歩行支援用具に関する。
【０００２】
【従来の技術】
ばねの反発力を時間差で解放する引き金装置は公知だが、負荷位置の移動範囲を引き金に利用する反発遅延ばねは知られていない。また、歩行を支援するために、靴底に大きなばね弾性を持たせる（実開昭６１−７７８０４、特開平０３−１９５５０３等）だけでは、衝撃を軽減するにしても歩きにくいうえ、前進力を得難い。例えば、踵部のエアスプリング（実開昭６２−２４７０４）は踵を上げる際に反発力が働き、踝凹部の弾性基板（実開平０２−８６３０４）は着地時から前方への重心移動を円滑化する、にしても、踵の上げ始めから上方に働く反発力の一部を前進に利用できるに過ぎない。
【０００３】
【発明が解決しようとする課題】
本発明は、上の不都合を解決する、反発遅延ばね及びそれを靴底に装着して歩行エネルギーを軽減する、歩行支援用具に関する。
【０００４】
【課題を解決するための手段】
上記目的を達成するために、梃子部付きばね挟みにおいて、ばね挟み先に設ける振り子式の突支が、梃子部への荷重でばね挟みが開くと共に起きて対片先にあてがわれ、梃子部からばね挟み先への荷重移動の過程で畳まれると共にばね挟みが閉じて梃子部に反発力を解放する、反発遅延ばね、及び、靴底当て板が、前部に緩衝体を、後部に当該反発遅延ばねを取り付けて、靴底に装着される靴底ばね装置を提案する。
【０００５】
本発明の反発遅延ばねは、梃子部付きばね挟みを利用するもので、ばね挟みが中間部を支点にして開くと共に突支が起きて対片先にあてがわれ、荷重移動の連続乃至不連続な過程で突支が畳まれてばね挟みが閉じて、反発力が効果的に梃子部に解放される、簡単で堅牢な反発遅延ばねを構成する。コイルばね等の伸縮を支点と突支で制御することも可能だが、重量化と構造の複雑化を伴ない、反発力の漸減的解放に止まり、反発方向を変更することにも不向きである。梃子部付きばね挟みとしては、単純な湾曲折りから多角折りの、棒状から板状までのばね挟み及び梃子部を採用できるが、以下、一般的な三角折り板ばね挟みについて主に説明する。変形として台形、円形の反り形なども選択できるが、例えば、方形平板の耐食ばね鋼製で三角折り両縁に外巻き部と一部内巻き部を有して、外巻き部には梃子板が固定される。内巻き部には振り子式の突支の支軸が取り付けられ、対片の内巻き部は突支止めとなる。
【０００６】
突支を例えばブランコ形で先を多角ロールにすること、及びロール止め位置を可変にすることで、反発力を解放する範囲と方向、つまりタイミングを調節できる。多角ロールの角数が少ないほど、ロール止め位置が対辺先に近いほど、急激な強い反発力を解放して、例えばねじ式乃至嵌合式にタイミングを変更できる。強い反発力を滑らかに解放する範囲と方向を決める要素として、突支とばね挟み中間部の可撓性と共に、突支長さと多角ロール径及び材質等も、ばね挟みの強度、形状及び寸法に対応して選択される。例えば三角折り板ばね挟み及び梃子板においても、支点になる中片の高さや板厚みを含めた寸法等、目的に応じて総合的に決められる。
【０００７】
本発明における靴底ばね装置は、反発遅延ばねの、荷重移動の開始時点ではなく、移動過程で突支が畳まれると共に板ばね挟みが閉じる特性を利用する。振り子式の突支多角ロールが、着地するときに靴底かかと下の梃子板を踏んで開く板ばね挟み下片にあてがわれ、靴底かかと部を上げて荷重移動する時に、土踏まず前方の踏み上がりに押されて畳まれ、歩き方、走り方等に応じて、蹴り出すタイミングでばね反発力を梃子板に解放して蹴り出しを補助し、歩行エネルギーを軽減する。板ばね挟みの梃子板には、歩行性を損なわない短さと軽さが求められる。複数個の板ばね挟みで構成して、体外側ばね挟みを強くすると歩くバランスを取りやすい。
【０００８】
本発明における靴底当て板は、前部に緩衝体を、後部に反発遅延ばねを取り付けて、例えば靴先及び土踏まず部から靴甲部に回した面ファスナ付きバンド等で装着される。靴底前半部に装着して、靴底当て板乃至ばね上片の梃子板をかかと下まで配置することで、靴の屈曲の自由度を確保して、荷重をばねに有効に伝達できる。当該緩衝体は、ばねと同等高さで凹凸の接地面を有する伸縮弾性体とすることにより、つまづきを防止して、ばね装置を保護し、付属フェンダー等は、汚れ防止に役立つ。当て板に靴縁への係止フックを設けると靴に堅持され、弾性の装着バンドも靴からの脱落を防止する。
【０００９】
本発明の反発遅延ばね及び靴底ばね装置の形状とサイズ及び材質は、上記の特徴を満たして目的に応じて選択でき、大小・強弱クラス別けと、耐磨耗性の軽量材料の採用が望ましい。例えば、三角折り板ばね挟み及び梃子板には、ステンレスばね鋼を、靴底当て板及び伸縮可撓性弾性体には、ＰＥ，ＰＰ等ポリオレフィン類のプラスチック製の、同一材料製乃至複合材料製とする、或いは伸縮性プラスチック材料例えば弾性ゴム製ゴム等の可撓性プラスチック製とすることができる。
【００１０】
【発明の実施の形態】
発明の実施の形態について図面を参照して説明する。
図１において、三角折り板ばね挟み（１）の先内巻き部に下げる突支振り子（２）の先には、八角ロール（３）を有する。突支ロール止め（４）を有する下片の梃子板（５）に幅広の梃子かかと部（６）を有する。靴底当て板（７）は前部に泥除け付き緩衝体（８）を有し、後部梃子板に板ばね挟み（１）の上片をばね挟み固定ねじ（９）で取り付けた靴底ばね装置を、固定バンド（１０）で靴の甲部に装着する。下片梃子板から着地して、靴かかとが上片梃子板を踏むと、中片を支点に板ばね挟みが開き、振り子式の突支ロールが起きてばね挟み下片先にあてがわれ、靴底かかと部を上げて荷重移動して、土踏まず前方の指母部に押される過程で振り子ロールが畳まれ、蹴り出すタイミングで反発力を上片梃子板に解放して蹴り出しを補助する。
【００１１】
【発明の効果】
本発明は、上述のとおり構成されているので、ばね力を時間差をつけて解放する反発遅延ばねを提供する。利用分野として、静的な複数個を並置する打ち出し玩具、運動具等のほかに、動的な歩行支援用具がある。すなわち、反発遅延ばねを利用する靴底ばね装置は、軽量かつ堅牢で蹴り出し力を補い、着地時の衝撃を軽減して前進を支援する、つまり歩行エネルギーを軽減する。安価に製造でき、靴の保全、背を高く見せる、雨靴を代用するなど、副次効果を伴なって簡便に使用できる。
【図面の簡単な説明】
【図１】本発明の反発遅延ばね及び靴底ばね装置の、三角折り板ばね挟みを用いる実施方法例を示す。Ａは反発遅延ばね、Ｂは靴底当て板の概略図、Ａ＋Ｂは反発遅延ばねを当て板に取り付けた靴底ばね装置の断面図を、Ｃ−１は装着した靴の着地前段階、Ｃ−２は着地段階、Ｃ−３は蹴り出し前段階、Ｃ−４は蹴り出し段階の概略図を示す。
【符号の説明】
１  三角折り板ばね挟み
２  突支振り子
３  突支先八角ロール
４  突支ロール止め
５  梃子板
６  梃子かかと部
７  当て板
８  ばね挟み固定ねじ
９  緩衝体
１０  固定バンド
【図１】
2004248784.tif 000003